(57)【要約】【課題】操作者が風向板の向きを変更操作する際に、実際の風向板の向きを把握してから変更操作を行うことができる空気調和機を提供することを目的とする。【解決手段】リモコン１は、ＭＰＵボード１４によりエアコン室内機２の風向板２３の向きを変更操作する操作信号を生成し、ＲＦモジュール１１からエアコン室内機２に対し操作信号を送信する。エアコン室内機２は、ＲＦモジュール２１により風向板２３の向きを変更操作するリモコン１からの操作信号を受信すると、風向板把握部２４により風向板２３の向きを把握し、把握した風向板２３の向きの情報をＲＦモジュール２１によりリモコン１に送信する。リモコン１は、エアコン室内機２から送信された風向板２３の風向位置の情報をＲＦモジュール１１で受信すると、その風向板２３の風向位置の情報に基づいて、現状の風向板２３の向きをＬＣＤユニット１５に表示する。【選択図】図２
2012149854.tif 000002
【特許請求の範囲】
【請求項１】
風向板の向きが変更可能な空気調和機本体と、前記空気調和機本体の前記風向板の風向位置を変更操作するリモコンとを備えた空気調和機であって、
前記空気調和機本体は、
前記リモコンからの前記空気調和機本体を操作する操作信号を受信する本体受信手段と、
前記本体受信手段により受信した前記操作信号に基づいて、現在の風向板の風向位置の情報を前記リモコンに対して送信する本体送信手段と、
を備え、
前記リモコンは、
前記空気調和機本体に対して操作する前記操作信号を生成する操作信号生成手段と、
前記空気調和機本体に対して前記操作信号を送信するリモコン送信手段と、
前記空気調和機本体からの送信される前記風向板の風向位置の情報を受信するリモコン受信手段と、
前記リモコン受信手段が受信した前記風向板の風向位置の情報に基づいて、現状の風向板の風向位置を表示する表示手段と、
を備えていることを特徴とする空気調和機。
【請求項２】
前記空気調和機本体は、前記リモコンからの前記風向板の風向位置を変更操作する操作信号に基づいて、前記風向板の向きを変更する風向板変更手段をさらに備え、
現状の風向板の風向位置の情報を前記リモコンに送信後、所定時間内に前記リモコンからの前記風向板の風向位置を変更操作する前記操作信号を受信した場合、前記風向板変更手段により風向位置を変更操作する操作信号に基づいて前記風向板の風向位置を変更することを特徴とする請求項１に記載の空気調和機。
【請求項３】
前記空気調和機本体の前記風向板の風向位置が所定の範囲で移動を繰り返している場合は、前記本体送信手段は、前記風向板の風向位置の移動範囲の情報を前記リモコンに対して送信し、前記リモコンの前記表示手段は、前記風向板の風向位置の移動範囲で表示することを特徴とする請求項１に記載の空気調和機。
【請求項４】
前記空気調和機本体の前記風向板は、上下方向と左右方向の少なくとも一方の方向に向きが変更可能なものであることを特徴とする請求項１に記載の空気調和機。
【請求項５】
前記リモコン受信手段が受信した風向板の向きの情報を記憶する記憶手段をさらに備えていることを特徴とする請求項１〜４のいずれか一つに記載の空気調和機。
【発明の詳細な説明】
【技術分野】
【０００１】
本発明は、空気調和機本体の風向板の向きを表示する空気調和機に関する。
【背景技術】
【０００２】
近年、空気調和機本体の送風口に設けられている風向板（ルーバー）の向きをリモートコントローラ（以下、リモコンという）によって制御可能な空気調和機がある（特許文献１参照）。この種の空気調和機では、リモコンから空気調和機本体に対して制御信号を送ることにより、風向板の位置を制御している。このため、リモコンに表示される風向板の向きは、リモコンで指定した向きを表示していた。
【先行技術文献】
【特許文献】
【０００３】
【特許文献１】特開２００４−６１００５号公報
【発明の概要】
【発明が解決しようとする課題】
【０００４】
しかしながら、冷房運転と暖房運転のできるエアコンディショナー（以下、エアコンという）は、冷房運転時（水平方向中心）と暖房運転時（下向き方向中心）とで上下風向板の可動範囲が異なっているため、自動運転モードで運転すると、室内温度に応じて暖房または冷房運転に切り替わる度に上下風向板の向き（風向位置）も自動的に変わることになる。
【０００５】
また、冷房運転時の露付きを防止する露付制御運転機能付きのエアコンは、風向板の向きを指定しても、露付制御用の風向位置に風向板が自動変更されることがある。このように、自動運転モードや露付制御運転時では、当初リモコンで設定したリモコンに表示される風向板の向きと、実際のエアコンの風向板の向きとが異なり、操作者が風向変更操作を行う際に、エアコン本体の風向板の向きが把握できないという問題がある。
【０００６】
本発明は、上記に鑑みてなされたものであって、操作者がリモコン操作すると常に実際の風向板の向きを把握でき、また、風向板の向きを変更操作する際に、実際の風向板の向きを把握してから変更操作を行うことができる空気調和機を提供することを目的とする。
【課題を解決するための手段】
【０００７】
上述した課題を解決し、目的を達成するために、本発明は、風向板の風向位置が変更可能な空気調和機本体と、前記空気調和機本体の前記風向板の風向位置を変更操作するリモコンとを備えた空気調和機であって、前記空気調和機本体は、前記リモコンからの前記空気調和機本体を操作する操作信号を受信する本体受信手段と、前記本体受信手段により受信した前記操作信号に基づいて、現在の風向板の風向位置の情報を前記リモコンに対して送信する本体送信手段と、を備え、前記リモコンは、前記空気調和機本体に対して操作する前記操作信号を生成する操作信号生成手段と、前記空気調和機本体に対して前記操作信号を送信するリモコン送信手段と、前記空気調和機本体からの送信される前記風向板の風向位置の情報を受信するリモコン受信手段と、前記リモコン受信手段が受信した前記風向板の風向位置の情報に基づいて、現状の風向板の風向位置を表示する表示手段と、を備えていることを特徴とする。
【０００８】
また、本発明は、前記空気調和機本体は、前記リモコンからの前記風向板の風向位置を変更操作する操作信号に基づいて、前記風向板の向きを変更する風向板変更手段をさらに備え、現状の風向板の風向位置の情報を前記リモコンに送信後、所定時間内に前記リモコンからの前記風向板の風向位置を変更操作する前記操作信号を受信した場合、前記風向板変更手段により風向位置を変更操作する操作信号に基づいて前記風向板の風向位置を変更することが好ましい。
【０００９】
また、本発明は、前記空気調和機本体の前記風向板の風向位置が所定の範囲で移動を繰り返している場合は、前記本体送信手段は、前記風向板の風向位置の可動範囲の情報を前記リモコンに対して送信し、前記リモコンの前記表示手段は、前記風向板の風向位置の移動範囲で表示することが好ましい。
【００１０】
また、本発明は、前記空気調和機本体の前記風向板は、上下方向と左右方向の少なくとも一方の方向に向きが変更可能であることが好ましい。
【００１１】
また、本発明は、前記リモコン受信手段が受信した風向板の向きの情報を記憶する記憶手段をさらに備えていることが好ましい。
【発明の効果】
【００１２】
本発明によれば、空気調和機本体が、リモコンからの操作信号を受信すると、現状の風向板の風向位置の情報をリモコンに対して送信することで、現在の風向板の風向位置をリモコンの表示手段に表示されるので、操作者が常に風向板の風向位置が把握できる。
更に、空気調和機本体に対して風向板の向きを変更操作する際、実際の風向板の向きを把握してから変更操作を行うことができるので、変更操作が正確にできるという効果を奏する。
【図面の簡単な説明】
【００１３】
【図１】図１は、本発明の一実施形態にかかる空気調和機本体とリモコンおよび加湿器と外部接続機器との関係を説明する図である。
【図２】図２は、図１の空気調和機本体とリモコンおよび加湿器と外部接続機器との概略構成を示すブロック図である。
【図３】図３は、本実施例にかかる空気調和機のリモコンの平面図である。
【図４】図４は、本実施例にかかるリモコンとエアコンとの間で行われるペアリング設定動作の手順を説明する図である。
【図５】図５は、図４のペアリング設定中に受信可能なエアコンの機種情報の一例を示す図である。
【図６】図６は、図４のペアリング設定に最低限必要なエアコンの機種情報の一例を示す図である。
【図７】図７は、本実施例にかかるペアリング設定後のリモコンとエアコンとの間でログ情報の受け渡しを行う場合の通信手順を説明する図である。
【図８】図８は、自動運転中の空気調和機本体に対しリモコンの上下風向キーを押下した場合の表示例を示す図である。
【図９】図９は、自動運転中で上下スイング中の空気調和機本体に対しリモコンの上下風向キーを押下した場合の表示例を示す図である。
【図１０】図１０は、自動運転中で上下左右スイング中の空気調和機本体に対しリモコンの上下風向キーを押下した場合の表示例を示す図である。
【図１１】図１１は、エアコンの上下風向状態を示す図である。
【図１２】図１２は、上下風向位置の設定変更を行う順序を示す図である。
【図１３】図１３は、上下風向キーの操作によりスイング設定の解除を説明する図である。
【図１４】図１４は、エアコンの左右風向状態を示す図である。
【図１５】図１５は、左右風向位置の設定変更を行う順序を示す図である。
【図１６】図１６は、左右風向キーの操作によりスイング設定の解除を説明する図である。
【図１７】図１７は、本実施例にかかるリモコンとＰＣとの間でログ情報の受け渡しを行う場合の通信手順を説明する図である。
【図１８】図１８は、ＰＣが取得したログ情報に基づいてエアコンの運転情報管理を行うＰＣ画面例を示す図である。
【図１９】図１９は、ＰＣが取得したログ情報に基づいてエアコンの運転情報管理を行うＰＣ画面例を示す図である。
【図２０】図２０は、ＰＣが取得したログ情報に基づいてエアコンの運転情報管理を行うＰＣ画面例を示す図である。
【図２１】図２１は、ＰＣが取得したログ情報に基づいてエアコンの運転情報管理を行うＰＣ画面例を示す図である。
【図２２】図２２は、ＰＣが取得したログ情報に基づいてエアコンの運転情報管理を行うＰＣ画面例を示す図である。
【図２３】図２３は、ＰＣが取得したログ情報に基づいてエアコンの運転情報管理を行うＰＣ画面例を示す図である。
【図２４】図２４は、ＰＣが取得したログ情報に基づいてエアコンの運転情報管理を行うＰＣ画面例を示す図である。
【図２５】図２５は、ＰＣが取得したログ情報に基づいてエアコンの運転情報管理を行うＰＣ画面例を示す図である。
【図２６】図２６は、ＰＣが取得したログ情報に基づいてエアコンの運転情報管理を行うＰＣ画面例を示す図である。
【図２７】図２７は、ＰＣが取得したログ情報に基づいてエアコンの運転情報管理を行うＰＣ画面例を示す図である。
【図２８】図２８は、ＰＣが取得したログ情報に基づいてエアコンの運転情報管理を行うＰＣ画面例を示す図である。
【図２９】図２９は、ＰＣが取得したログ情報に基づいてエアコンの運転情報管理を行うＰＣ画面例を示す図である。
【図３０】図２６は、ＰＣが取得したログ情報に基づいてエアコンの運転情報管理を行うＰＣ画面例を示す図である。
【図３１】図２７は、ＰＣが取得したログ情報に基づいてエアコンの運転情報管理を行うＰＣ画面例を示す図である。
【図３２】図２８は、ＰＣが取得したログ情報に基づいてエアコンの運転情報管理を行うＰＣ画面例を示す図である。
【図３３】図２９は、ＰＣが取得したログ情報に基づいてエアコンの運転情報管理を行うＰＣ画面例を示す図である。
【発明を実施するための形態】
【００１４】
以下に、本発明にかかる空気調和機の実施例を図面に基づいて詳細に説明する。なお、この実施例によりこの発明が限定されるものではない。
【実施例１】
【００１５】
［構成説明］
図１は、本発明の一実施形態にかかる空気調和機本体とリモコンおよび加湿器と外部接続機器との関係を説明する図であり、図２は、図１の空気調和機本体とリモコンおよび加湿器と外部接続機器との概略構成を示すブロック図であり、図３は、本実施例にかかる空気調和機のリモコンの平面図である。
【００１６】
本実施例にかかる空気調和機は、図１に示すように、空気調和機本体としてのエアコン室内機２とリモコン１と図示しない室外機とで構成され、ＲＦモジュールによる双方向無線通信を利用して、リモコン１からエアコン室内機２に対して遠隔操作や各種設定を行い、エアコン室内機２から各種運転情報をリモコン１が取得すると、リモコン１の表示手段にそれらの情報を表示させて、運転管理や各種設定に利用する。また、本実施例にかかるリモコン１は、取得した各種運転情報を外部接続端子としてのＵＳＢ接続端子を介してパーソナルコンピュータ（ＰＣ）３と有線接続し、運転情報管理をＰＣ３側で行うことができる。また、本実施例にかかるリモコン１は、エアコン室内機２以外の操作対象機器である加湿器４等を赤外線送信手段としての赤外線（ＩＲ）ＬＥＤを用いて遠隔操作を行うことができる。
【００１７】
図１のように構成されたリモコン１と、空気調和機本体としてのエアコン室内機２、ＵＳＢ接続端子を介して接続されるＰＣ３、および加湿器４の概略構成について、図２を用いて説明する。リモコン１は、エアコン室内機２との間で双方向無線通信を行うための送受信機やアンテナ等を含むリモコン送信手段およびリモコン受信手段としてのＲＦモジュール１１、情報管理等を行うパーソナルコンピュータ（ＰＣ）３とＵＳＢ接続するためのＵＳＢソケット１２、加湿器４に対して赤外線（ＩＲ）ダイオードによりコマンドを送信してコントロールするＩＲＬＥＤ１３、エアコン室内機２から受信した各種運転情報等のデータを一定期間（ここでは、４０日間分）保持するメモリ１４ａを含み、リモコン１の各部を制御するＭＰＵ（マイクロプロセッサユニット）が搭載されたＭＰＵボード１４を備えている。このＭＰＵボード１４は、エアコン室内機２の風向板の向きを変更操作する操作信号を生成する操作信号生成手段を構成していると共に、ＲＦモジュール１１が受信したエアコン室内機２の風向板の風向位置の情報を記憶するメモリ１４ａを含んでいる。また、リモコン１は、リモコン１の操作情報やエアコン室内機２の運転情報（運転時間、消費電力等）を表示する表示手段としてのＬＣＤユニット１５、操作対象機器を操作するキー操作部１６、時間管理を行う計時専用のＲＴＣ（リアル・タイム・クロック）１７、および、リモコン１の各部に電力を供給する電池１８等により構成されている。
【００１８】
エアコン室内機２は、図２に示すように、リモコン１のＲＦモジュール１１と双方向無線通信を行う本体受信手段および本体送信手段としてのＲＦモジュール２１、および、ＲＦモジュール２１で受信したリモコン１からのコマンドに基づいてエアコン室内機２の各部を制御すると共に、エアコン室内機２の運転情報を収集し、運転時間と消費電力（電気代）を計算して、一定期間（ここでは、１０日間分）のデータを保持するメモリを含むＭＰＵが搭載されたＭＰＵボード２２を備えている。また、エアコン室内機２には、空気吹き出し口付近に設けられた風向板２３、その風向板２３の向き（スイング中であれば風向板の可動範囲）を把握する風向板把握部２４、および、その風向板２３の向きを変更する風向板変更部２５などを備えている。
【００１９】
また、ＰＣ３は、図２に示すように、リモコン１のＵＳＢソケット１２との間にＵＳＢケーブルを接続するためのＵＳＢソケット３１を備えている。ＰＣ３は、運転情報管理ソフトをインストールすることにより、ＵＳＢ接続時にデータの送受信が行えるようになると共に、リモコン１を介してエアコン室内機２からの運転情報を定期的に収集し、ＰＣ画面上で継続的に運転管理を行うことができる。
【００２０】
また、加湿器４は、図２に示すように、リモコン１のＩＲＬＥＤ１３から送信される赤外線信号を受信するＩＲＰＤ（赤外線受信）ユニット４１を備えている。リモコン１は、この赤外線信号（コマンド）によって加湿器４をコントロールすることができる。
【００２１】
空気調和機を運転操作するリモコン１は、図３に示すように、運転情報（風向板の向き、運転の内容、運転時間、消費電力等）を表示する液晶表示部からなるＬＣＤユニット１５と、エアコン室内機２を運転操作するためのキー操作部１６とを備えている。そして、キー操作部１６の中には、エアコン室内機２の運転開始、および運転停止を操作する、運転／停止キー１６ａの他、ペアリング開始の際に必要な確定キー１６ｂ、風向板の上下の風向制御を行う上下風向キー１６ｃ、風向板の左右の風向制御を行う左右風向キー１６ｄ、風向板を一定の範囲で動かすスイングキー１６ｅ等を備えている。
【００２２】
本実施例の空気調和機は、上記したリモコン１とエアコン室内機２の間で、ＲＦモジュールを用いて双方向無線通信を行うため、近くに別機種のエアコンがあると操作対象機器が区別できなくなることから、事前にペアリング設定を行う必要がある。
【００２３】
［ペアリング設定］
図４は、本実施例にかかるリモコン１とエアコン室内機２との間で行われるペアリング設定動作の手順を説明する図であり、図５は、図４のペアリング設定中に受信可能なエアコンの機種情報の一例を示す図であり、図６は、図４のペアリング設定に最低限必要なエアコンの機種情報の一例を示す図である。
【００２４】
まず、リモコン１の登録設定が選択された場合、あるいは、リモコン１のＭＰＵボード９に搭載された図示しない不揮発性メモリ（以下、EEPROMという）にペアリング相手が記憶されていない場合（ＬＣＤユニット１５に「登録なし」が表示される場合）は、リモコン登録設定モードとなり、エアコン室内機２とペアリングを行う際の手順を表示するペアリング表示する。同様に、エアコン室内機２もペアリング登録がない場合は、エアコン室内機２に備えられた図示しないランプで表示される。ペアリングは、図４に示すように、操作者がエアコン室内機２にある図示しないペアリングボタンを押下すると、ペアリング実行状態をブザーの鳴動、およびランプの点灯で示し、エアコン室内機２側からのペアリング要求信号がＲＦモジュール２１に送られて、ペアリングが開始される（ステップＳ６０）。
【００２５】
また、リモコン１のＬＣＤユニット１５にペアリング表示がされている間は、図３に示すリモコン１のキー操作部１６の運転／停止キー１６ａと、操作扉を開いた中の確定キー１６ｂとを同時に押下すると、ペアリング要求信号がＲＦモジュール１１に送られ、ペアリングが開始される（ステップＳ６１）。リモコン１のＬＣＤユニット１５には、「ペアリング登録中」と表示される。ここで、ＲＦモジュール１１と２１との間でペアリングのための通信を行い（ステップＳ６２）、ペアリング登録可能な機種かどうかを確認した後（ステップＳ６３）、ＲＦモジュール２１からＭＰＵボード２２にＲＦモジュールのペアリングが完了した旨のペアリング完了信号を送信し（ステップＳ６４）、ＲＦモジュール１１からＭＰＵボード１４にＲＦモジュールのペアリングが完了した旨のペアリング完了信号を送信する（ステップＳ６５）。
【００２６】
続いて、リモコン１からエアコン室内機２に対し、エアコン機種情報要求を汎用データとして送信する（ステップＳ６６）。この時、エアコン室内機２から受信可能なエアコン機種情報の信号としては、図５に示すように、シリーズ名（Ｚ／Ｓ）、室内機年度（Ａ〜Ｚ）、文字列（機種名１６文字以内）、派生機種（１）、エアコンＩＤ（ＭＡＣアドレス）などがある。エアコン室内機２側のＲＦモジュール２１は、エアコン機種情報要求をエアコン室内機２で受信すると、リモコン１に対して汎用データ送信完了信号を送信し、送信が成功したことを通知する（ステップＳ６７）。リモコン１のＭＰＵボード１４は、ＲＦモジュール１１を受信モードに切り換える（ステップＳ６８）。
【００２７】
続いて、エアコン室内機２のＭＰＵボード２２は、エアコンの機種情報をリモコン１側に情報転送する（ステップＳ６９）。エアコン室内機２の機種情報をリモコン１側で受信すると、ＲＦモジュール１１は、エアコン室内機２に対して情報転送完了信号を送信し、送信が成功したことを通知する（ステップＳ７０）。
【００２８】
リモコン１は、エアコン機種情報を取得すると、受信モード中止をＲＦモジュール１１に通知し（ステップＳ７１）、受信モード完了を受け取る（ステップＳ７２）。
【００２９】
リモコン１のＭＰＵボード１４は、取得したエアコン機種情報に基づいて、ペアリング設定を行うエアコン室内機２が該当機種か否かを判断する。リモコン１のＭＰＵボード１４は、該当機種で、受信した信号が図６に示す信号を少なくとも含む場合、ペアリング成立の汎用データをエアコン室内機２に送信する（ステップＳ７３）。エアコン室内機２のＲＦモジュール２１は、ペアリング成立の汎用データを受信すると、リモコン１に対して、汎用データの送信が完了（送信成功）したことを通知する（ステップＳ７４）。リモコン１のＭＰＵボード１４は、ペアリングが成立したことをＬＣＤユニット１５に５．５秒間表示し、操作者はシリーズ名に合わせて「Ｚ」または「Ｓ」を選択すると、選択された機種内容がEEPROMに書き込まれる。
【００３０】
一方、リモコン１のＭＰＵボード１４は、ペアリング設定を行うエアコン室内機２が該当機種でないと判断した場合、あるいは、受信したエアコン機種情報が図６に示す信号以外のものであった場合、ペアリング不成立の汎用データをエアコン室内機２に送信する（ステップＳ７５）。エアコン室内機２のＲＦモジュール２１は、ペアリング不成立の汎用データを受信すると、リモコン１に対して、汎用データの送信が完了したことを通知する（ステップＳ７６）。リモコン１のＭＰＵボード１４は、ペアリング不成立表示をＬＣＤユニット１５に５．５秒間表示して、ペアリングクリア処理を行い（ステップＳ７７）、ペアリングクリアが完了したことの通知を受ける（ステップＳ７８）。
【００３１】
ペアリング不成立の場合、エアコン室内機２のＭＰＵボード２２側でもペアリングクリア処理を行い（ステップＳ７９）、ペアリングクリアが完了したことの通知を受ける（ステップＳ８０）。このようにして、ペアリング設定が終了する。
【００３２】
上記のペアリング設定が終了したリモコン１とエアコン室内機２との間では、リモコン１からエアコン室内機２に対して運転操作や各種設定を行う他、以下の通信シーケンスにより、エアコン室内機２に保存されている運転状況ログ（履歴）をリモコン１が要求することにより、ログを取得することができる。
【００３３】
［エアコンとリモコン間の通信シーケンス］
図７は、本実施例にかかるペアリング設定後のリモコンとエアコンとの間でログ情報の受け渡しを行う場合の通信手順を説明する図である。リモコン１は、毎日、定時刻にエアコン室内機２に対して運転状況ログを要求し、収集する動作が行われる。
【００３４】
まず、リモコン１のＭＰＵボード１４は、図７に示すように、ＲＴＣ１７により定時刻（ここでは、ＡＭ０：０３とする）になると、ＲＦモジュール１１および２１を介してエアコン室内機２のＭＰＵボード２２に対してログ要求を送信する（ステップＳ８１）。リモコン１は、ログ要求を送信した後、エアコン室内機２からログデータが送られてくるのを待つ。ログを待つ際に、一定の時間が経過してもログが送られてこない場合は、受信タイムアウトによる受信エラーとし、ログの受信待ちを終了して、その日のログ収集を終了する。エアコン室内機２のＭＰＵボード２２のEEPROMは、エアコン運転状況のログを最大１０日分保存できる容量を持っているため、受信エラーが生じても次にログの受信が可能になった時点で、まとめてログの転送が行われる。
【００３５】
図７に示すように、エアコン室内機２から順次ログデータが送られてくると（ステップＳ８２、８３・・・）、その都度リモコン１のＭＰＵボード１４のEEPROMに保存する。ログの保存方法は、EEPROMに未保存のエリアがある場合は、その部分にログを書き込み、未保存のエリアが無い場合は、一番古いログの書き込みエリアを上書きして保存する。リモコン１は、エアコン室内機２からログデータの終了を示すログ終了を受信すると（ステップＳ８４）、ログ取得が完了する。
【００３６】
また、リモコン１とエアコン室内機２との間では、上記した定時刻以外に、リモコン１が運転操作のコマンドを送信すると、エアコン室内機２から運転状況ログを取得して、リモコン１のＬＣＤユニット１５に表示することができる。
【００３７】
［風向板の変更操作と風向板の向きの表示］
図８は、自動運転中の空気調和機本体に対しリモコンの上下風向キーを押下した場合の表示例を示す図であり、図９は、自動運転中で上下スイング中の空気調和機本体に対しリモコンの上下風向キーを押下した場合の表示例を示す図であり、図１０は、自動運転中で上下左右スイング中の空気調和機本体に対しリモコンの上下風向キーを押下した場合の表示例を示す図であり、図１１は、エアコンの上下風向状態を示す図であり、図１２は、上下風向位置の設定変更を行う順序を示す図であり、図１３は、上下風向キーの操作によりスイング設定の解除を説明する図であり、図１４は、エアコンの左右風向状態を示す図であり、図１５は、左右風向位置の設定変更を行う順序を示す図であり、図１６は、左右風向キーの操作によりスイング設定の解除を説明する図である。
【００３８】
エアコン室内機２が運転中であり、リモコン１も図８に示すように運転中の画面が表示されている場合に、操作者がリモコン１の上下風向キー１６ｃ（図３参照）を押下すると、運転中の画面の一部が通信中を示す表示に変わる。これは、リモコン１とエアコン室内機２との間で双方向通信が行われていることを表している。
【００３９】
具体的には、リモコン１は、エアコン室内機２に対して風向板２３の向きを変更操作する操作信号をＲＦモジュール１１から送信する。エアコン室内機２のＲＦモジュール２１は、これを受信すると、風向板把握部２４によって風向板２３の現在の風向位置を把握し、その風向板の風向位置の情報をＲＦモジュール２１からリモコン１へ送信する。リモコン１は、送られてきた現在の風向板の風向位置の情報をＲＦモジュール１１で受信すると、通信成功となる。
【００４０】
このように、リモコン１とエアコン室内機２との通信が成功すると、次の白抜き矢印に示すように、リモコン１が受信した現在の風向板の風向位置の情報に基づいてＬＣＤユニット１５に現在の風向板の向きが表示される。そして、その２．５秒後に運転中の通常表示に戻る。リモコン１の操作者は、風向板２３の向きを変更しようとして上下風向キー１６ｃを押下した場合でも、１回目は風向板２３の変更操作は行われず、ＬＣＤユニット１５に現在の風向板の向きが表示される。このため、操作者は、リモコン１の表示を見るだけで、エアコン室内機２の現在の風向板２３の向きを知ることができる。
【００４１】
また、エアコン室内機２が運転中で、風向板が上下スイングしている図９に示す状態で、操作者がリモコン１の上下風向キー１６ｃを押下すると、白抜き矢印に示すように、運転中の画面の一部が通信中を示す表示に変わる。ここまでは、図８と同じであるが、通信が成功してリモコン１のＬＣＤユニット１５に表示される現在の風向板の向きは、一つの方向ではなく、一定の範囲を表示している。これは、風向板２３が一定の範囲で移動を繰り返すスイング状態にあることを示している。この場合も風向板の位置を２．５秒表示した後、運転中の通常表示に戻る。
【００４２】
さらに、エアコン室内機２が運転中で、風向板が上下左右にスイングしている図９に示す状態で、操作者がリモコン１の上下風向キー１６ｃを押下すると、白抜き矢印に示すように、運転中の画面の一部が通信中を示す表示に変わる。ここで、通信が成功すると、白抜き矢印で示すように、リモコン１のＬＣＤユニット１５には、一定の範囲を示すスイング表示が示され、その後、上下風向キー１６ｃが２回目以降押下されると、白抜き矢印に示す順序で風向板の向きの変更操作が行われる。変更操作が行われる順序は、図１２に示すように、「風向１（初期設定）→風向２→風向３・・→風向８→風向１・・・」という順序でサイクリックに変化する。この風向１〜風向８とエアコンの上下風向状態との関係は、図１１に示すように、風向１が水平であり、風向８が略垂直に近い下吹きに相当する。また、上下風向キー１６ｃを操作すると、図１３に示すように、スイングの設定状態を解除することができる。
【００４３】
これを図１０で見ると、リモコン１のＬＣＤユニット１５に、一定の範囲を示すスイング状態が表示された後、２回目に上下風向キー１６ｃが押下されるとスイング状態が解除され、初期設定の風向１から順に設定変更することができる。そして、操作者は、上下風向キー１６ｃを順次押下して風向１〜風向４まで設定変更した後、２．５秒が経過すると、最後に設定された位置で上下風向位置がセットされ、運転中の通常表示に戻る。
【００４４】
上記では、上下スイングと上下風向位置の設定について説明したが、左右スイングと左右風向設定動作も同様である。ただ、図１４に示すように、エアコンの左右風向状態（５種類）は、上下風向状態（８種類）と較べると、風向の数が少ない点が異なっている。左右スイング状態で図３に示す左右風向キー１６ｄを押下すると、スイング状態が解除され、左右風向設定動作が順次行われる。また、左右風向キー１６ｄを操作すると、図１６に示すように、スイングの設定状態を解除することができる。
【００４５】
なお、エアコン室内機２は、風向板２３の変更操作以外の操作信号を受信した場合でも、風向板２３の風向位置の情報をリモコン１に対して送信してもよい。この場合、風向板２３の風向位置の情報の更新の頻度が高くなる。
【００４６】
［リモコンとＰＣ間の通信シーケンス］
また、本実施例のリモコン１は、エアコン室内機２の運転情報が管理可能なＰＣ３と接続する外部接続端子としてのＵＳＢソケット１２を備えている。このため、リモコン１とＰＣ３をＵＳＢ接続することにより、エアコン室内機２の運転情報をリモコン１経由でＰＣ３に収集することが可能となり、ＰＣ３においてエアコン室内機２の運転情報を管理することができる。
【００４７】
図１７は、本実施例にかかるリモコンとＰＣとの間でログ情報の受け渡しを行う場合の通信手順を説明する図である。上記したエアコン１とリモコン２間の通信シーケンスにより、リモコン１のＭＰＵボード１４のEEPROMに保存されたエアコンの運転状況のログをＰＣ３に送信するものである。リモコン１のＭＰＵボード１４のEEPROMは、エアコンから受信したログを最大４０日分保存できる容量を持っている。
【００４８】
まず、リモコン１とＰＣ３との間をＵＳＢ接続すると、ＵＳＢドライバにより通信可能となるまでの一連の処理（エニュメレーション）が行われ、エニュメレーションの完了によりリモコン１とＰＣ３との間で通信が可能になる（ステップＳ８５）。エニュメレーションの間は、「接続検出：ＵＳＢ接続中」の表示がリモコン１のＬＣＤユニット１５に表示される。
【００４９】
エニュメレーションが完了すると、ＰＣ３は、リモコン１に対してエアコン情報を要求する（ステップＳ８６）。リモコン１は、これに応答してＭＰＵボード１４のEEPROMに保存したエアコン情報をＰＣ３に対して送信する（ステップＳ８７）。エアコン情報としては、エアコンの製品名、シリーズ名、能力帯、室内機年度、使用電圧の他、エアコンＭＡＣアドレス、部屋情報、およびリモコンタイプなどがある。
【００５０】
ＰＣ３は、受信したエアコン情報と、管理しているエアコン情報とを照合し、受信したエアコン情報がどのエアコンに該当するのかを識別する。ＰＣ３において、複数のエアコンを管理している場合は、受信したエアコンがどのエアコンに該当するか情報を照合する必要がある。
【００５１】
続いて、ＰＣ３は、運転設定情報を読み込むため、リモコン１に対してエアコン運転設定情報を要求する（ステップＳ８８）。リモコン１は、これに応答してＭＰＵボード１４のEEPROMに保存されているエアコン運転設定情報をＰＣ３に送信する（ステップＳ８９）。エアコン運転設定情報としては、音量レベル、ボイスの有無、不在エコの切り換え、内部クリーンの有無、お手入れ時間、省エネファンの有無、自動パワフルの有無、および電流切換などがある。
【００５２】
続いて、ＰＣ３は、リモコン１に対してログ読込みのために、ログ要求を行う（ステップＳ９０）。リモコン１は、ＰＣ３からのログ要求に応答して、ログデータを送信する（ステップＳ９１）。ＰＣ３とリモコン１とは、次データ要求とログデータの送信が繰り返される（ステップＳ９２、Ｓ９３、Ｓ９４）。リモコン１は、送信するログデータが無くなった時点でＰＣ３に対しログ終了を送信することにより（ステップＳ９５）、ＰＣ３におけるログ読込み処理が完了する。その後、ＰＣ３とリモコン１とをつなぐＵＳＢ接続が切断され（ステップＳ９６）、リモコン１がＰＣ３との間の通信モードから解放されると、ＬＣＤユニット１５の表示が通常表示に移行する。
【００５３】
このように、エアコン室内機２に一時的に保存された（最大１０日間分保存可能）エアコンの運転ログは、リモコン１側に送信されて保存され（最大４０日間分保存可能）、リモコン１とＰＣ３とをＵＳＢ接続した時点で、リモコン１に保存されていたログがＰＣ３側に転送される。ＰＣ３では、予めインストールされた運転情報管理ソフトを使って、図１８〜図３３に示すようにエアコン室内機２の運転情報を管理することができる。
【００５４】
［ＰＣにおける運転情報の管理］
図１８〜図３３は、ＰＣが取得したログ情報に基づいてエアコンの運転情報管理を行うＰＣ画面例を示す図である。まず、ＰＣ３は、運転情報管理ソフトにより図１８に示すような画面が表示される。操作者は、エアコン選択タグ１００をクリックし、その中の「リビング１」のボタン１０１をクリックすると共に、カレンダータグ１０２をクリックすると、「リビング１」のエアコンにおける毎日の運転時間と電気代、月単位、年単位の電気代、月目標電気代等が記載されたカレンダー画面１０３が表示される。これにより、エアコン毎の運転状況と電気代とを継続的に把握可能となり、エアコンの効率的な利用や設定に利用することができる。
【００５５】
ＰＣ３とリモコン１とをＵＳＢ接続した場合は、図１９に示すように、リモコン１が接続され、データ受信中であることを示すウインドウ１０４が表示される。そして、ＰＣ３には、新たな運転情報がＰＣ３に取り込まれると、図２０に示すように、カレンダー画面１０３にリモコン１に保存されていた前日までの運転時間と電気代とが追加された画面が表示される。
【００５６】
続いて、操作者は、図２０の状態から画面上のグラフタグ１０５をクリックすると、図２１に示すように、毎日の電気代が棒グラフ化されたグラフ画面１０６を表示することができる。これにより、一カ月間のエアコンの電気代の増減を一目で把握することができる。また、累計電気代として、今月の「リビング１」にかかったエアコン電気代の合計、前の月の電気代の合計、年間の電気代の合計、前の年の電気代の合計、月目標電気代等も表示されるため、エアコンの運転状況を多角的に把握することが可能になる。
【００５７】
また、図２１の画面において、エアコン選択タグ１００の全室合計ボタン１０８をクリックすると、リビング１ボタン１０１と寝室１ボタン１０７のそれぞれが合計されたグラフ画面１０６が色違い（モノクロ表示であれば、濃度違い）で表示される。これにより、全室のエアコンの電気代の合計とその内訳を一目で把握することができる。また、グラフ画面１０６には、縮小ボタン１０９と拡大ボタン１１０が設けられている。例えば、図２２に示す状態で拡大ボタン１１０をクリックすると、グラフ画面１０６は、図２３のようにグラフのレートが変化し、拡大表示することができる。これにより、電気代の微妙な変化も明確に把握することができる。
【００５８】
例えば、図２４に示すように、エアコン選択タグ１００に、リビング１ボタン１０１、ダイニング１ボタン１１１、和室１ボタン１１２、寝室１ボタン１１３、子供部屋１ボタン１１４、その他１ボタン１１５、子供部屋２ボタンという多数のエアコンが登録されている場合は、全室合計ボタン１０８をクリックすると、１日毎の全室の電気代の合計のグラフが表示される。そして、１日の全室の電気代の合計のグラフは、さらに部屋毎の電気代が色違い（モノクロ表示であれば、濃度違い）で表示されるため、多数のエアコンの電気代の内訳も一目で把握することができる。
【００５９】
また、図２２に示すグラフ表示において、特定の日にちをクリックすると、図２５に示すように、その日の運転状況を詳細に示すウインドウ１１７を開くことができる。そのウインドウには、その日の全室合計の電気代、運転時間、および外気温度の平均気温などを表示することができる。
【００６０】
さらに、図２６に示すエアコン設定確認画面１１９は、エアコン選択タグ１００のリビング１ボタン１０１をクリックし、エアコン設定確認タグ１１８をクリックした場合の画面である。このエアコン設定確認画面１１９は、リビング１ボタン１０１に登録されているエアコンの設定内容の詳細をＰＣ３の画面上で容易に確認することができる。また、エアコン設定確認画面１１９は、設定内容の機能が併せて表示されているため、操作者が設定内容を変更する際に設定内容を正しく理解しながら変更することができる。さらに、次のページボタン１２０をクリックすると、図２７に示すように、次頁のエアコン設定確認画面１１９が表示される。そして、設定内容を変更する場合は、変更する設定内容をクリックすると、変更内容がメニュー表示され、所望の内容をクリックすることにより設定内容が変更される。前頁のエアコン設定確認画面１１９に戻りたい場合は、前のページボタン１２１をクリックする。このように変更された設定情報は、ＵＳＢ接続されたＰＣ３からリモコン１に送られ、リモコン１からエアコン室内機２に対してコマンド等を送る際に、変更された設定情報を併せて送ることにより、エアコン室内機２の設定が変更される。
【００６１】
また、図２０のカレンダー表示において、図２８に示すワンポイントアドバイスボタン１２３がクリックされると、ワンポイントアドバイスウインドウ１２２が開いて、操作者に対しエアコンを効率的に使用するためのアドバイスが表示される。ワンポイントアドバイスウインドウ１２２が複数ある場合は、次頁ボタン１２２ａや前頁ボタン１２２ｂをクリックすることにより、別のワンポイントアドバイスウインドウ１２２を開くことができる（図２９参照）。
【００６２】
さらに、図３０に示すように、エアコン選択タグ１００の隣のファイル管理タグ１２４をクリックすると、ＣＤ−ＲＯＭ等からのデータの読み込みを行う読み込みボタン１２５、ＣＤ−Ｒ等に対してデータの書き出しを行う書き出しボタン１２６、エアコン選択タグにおいて登録されているエアコンの機種を削除する機種削除ボタン１２７、フレキシブルディスク（ＦＤ）等にファイルを書き出すファイルボタン１２８、このＰＣソフトのヘルプ表示を行うためのこのソフトの使い方ボタン１２９、およびこのＰＣソフトの名称や提供元やバージョン情報等を表示させるこのソフトについてボタン１３０等が表示される。例えば、この中の機種削除ボタン１２７をクリックすると、図３１に示すようなウインドウ１３１が開いて、既に登録されている機種一覧が表示される。例えば、この中のリビング１ボタン１３１をクリックすると、図３２に示すように、削除確認のための確認ウインドウ１３２が開かれ、「はい」または「いいえ」をクリックすることで削除、あるいは削除を中止できる。
【００６３】
また、図３３に示すように、ファイル管理タグ１２４のこのソフトについてボタン１３０をクリックすると、このＰＣソフトの名称、提供元名称、また、図示していないがリリース年月日等が表示された画面１３３を表示する。
【００６４】
このように、本実施例にかかる空気調和機は、エアコン室内機２が自動運転モードや露付制御運転を行って、風向板の向きが自動的に変更される場合であっても、双方向通信機能を用いることで、現在のエアコン室内機２の風向板の位置を把握した後、風向板の位置を正確に設定することができる。特に、本実施例では、リモコン側に現在の風向板の向きを表示する機能があることを操作者が知らなくても、１回目の風向キー（上下・左右）の押下で、現在の風向位置を表示し、所定時間以内（ここでは、２．５秒以内）に２回目以降の風向キーが押下されると、サイクリックに風向板の風向位置を変化させるようにしたため、非常に操作性の良い空気調和機とすることができる。
【００６５】
また、本実施例にかかる空気調和機は、風向板の向きを制御する際に、固定された風向板の角度を把握して設定するだけでなく、一定の範囲で風向板が可動しているスイングモードであっても、リモコンに風向板の状態を表示できる上、スイング中の風向板に対しても風向位置を設定することができる。
【００６６】
なお、本実施例にかかる空気調和機では、操作者が風向変更操作を行った場合について説明したが、これに限定されず、エアコン側で冷房、暖房、露付き運転に変わる際に、風向板の向きの情報をリモコン側に自動送信し、その情報を受信したリモコン側で風向板の位置を表示すると共に、その風向板の向きの情報をＭＰＵボード１４のメモリ１４ａに記憶させるようにしても良い。
【００６７】
また、本実施例にかかる空気調和機では、現在の風向板の位置をリモコンに表示することができるため、エアコン側で冷房、暖房、露付き運転に自動で切り変わる自動運転モードであっても、上下風向板の動作範囲を見るだけで現在の運転モードをある程度推測することができる。これは、暖房運転の場合は、風向板が下向きを中心としたスイングとなり、冷房運転の場合は、風向板が水平を中心としてスイングする場合が多いことを利用したものである。
【産業上の利用可能性】
【００６８】
以上のように、本発明にかかる空気調和機は、空気調和機本体とリモコンとの間で双方向通信が可能な場合に有用であり、特に、リモコンによって空気調和機本体の風向板の向きが変更可能な空気調和機に適している。
【符号の説明】
【００６９】
１  リモートコントローラ（リモコン）
１１  ＲＦモジュール
１２  ＵＳＢソケット
１３  ＩＲＬＥＤ
１４  ＭＰＵボード
１４ａ  メモリ
１５  ＬＣＤユニット
１６  キー操作部
１７  ＲＴＣ（リアル・タイム・クロック）
１８  電池
２  エアコンディショナー（エアコン）
２１  ＲＦモジュール
２２  ＭＰＵボード
２３  風向板
２４  風向板変更部
２５  風向板把握部
【図１】
2012149854.tif 000003
【図２】
2012149854.tif 000004
【図３】
2012149854.tif 000005
【図４】
2012149854.tif 000006
【図５】
2012149854.tif 000007
【図６】
2012149854.tif 000008
【図７】
2012149854.tif 000009
【図８】
2012149854.tif 000010
【図９】
2012149854.tif 000011
【図１０】
2012149854.tif 000012
【図１１】
2012149854.tif 000013
【図１２】
2012149854.tif 000014
【図１３】
2012149854.tif 000015
【図１４】
2012149854.tif 000016
【図１５】
2012149854.tif 000017
【図１６】
2012149854.tif 000018
【図１７】
2012149854.tif 000019
【図１８】
2012149854.tif 000020
【図１９】
2012149854.tif 000021
【図２０】
2012149854.tif 000022
【図２１】
2012149854.tif 000023
【図２２】
2012149854.tif 000024
【図２３】
2012149854.tif 000025
【図２４】
2012149854.tif 000026
【図２５】
2012149854.tif 000027
【図２６】
2012149854.tif 000028
【図２７】
2012149854.tif 000029
【図２８】
2012149854.tif 000030
【図２９】
2012149854.tif 000031
【図３０】
2012149854.tif 000032
【図３１】
2012149854.tif 000033
【図３２】
2012149854.tif 000034
【図３３】
2012149854.tif 000035